(57)【要約】【解決手段】本発明は、電気装置に電力を供給するアセンブリを提供する。アセンブリは、電源に接続するための電気コネクタを有する容器と、容器内に収容され電気コネクタに結合される長い電気ケーブルと、を備える。前記容器から長い電気ケーブルを巻き取り可能に延ばすことができる。一実施形態では、電気ケーブルを主電源に電気的に接続して、電源から容器に取り付けられた一つ以上の電気コネクタに電力を伝達する。別の実施形態では、アセンブリは解放可能に接続される配電盤を備え、別の実施形態では、アセンブリは解放可能に接続される発光デバイスを備える。【選択図】図１
2013520772.tif 000002
【特許請求の範囲】
【請求項１】
電気装置に電力を提供するアセンブリであって、
電源に接続するための電気コネクタを有する容器と、
前記容器内に収容され、前記電気コネクタに結合される長い電気ケーブルと、を備え、
前記長い電気ケーブルを、前記容器から巻き取り可能に延長できることを特徴とするアセンブリ。
【請求項２】
前記電気ケーブルを電動装置に電気的に接続して、前記電源から前記電気装置に電力を伝達することを特徴とする請求項１に記載のアセンブリ。
【請求項３】
前記長い電気ケーブルが、前記容器内に収納されたリールの周りに巻き付けられ、前記リールから前記ケーブルをほどいて前記容器から延ばすことが可能であり、前記リールの周りに巻き付けて前記容器内に前記ケーブルを格納可能であることを特徴とする請求項１または２に記載のアセンブリ。
【請求項４】
一つ以上の電動装置と接続するための複数の電気コネクタを有するハウジングを有する配電盤と、電源に接続するための電気コネクタを有する長い電気ケーブルと、をさらに備えることを特徴とする請求項１ないし３のいずれかに記載のアセンブリ。
【請求項５】
前記配電盤と前記容器を取り外し可能に接続することができ、
前記容器は、前記配電盤の長い電気ケーブルに接続して電力を供給する電気コネクタを備えることを特徴とする請求項４に記載のアセンブリ。
【請求項６】
前記容器は、前記配電盤のハウジングを前記容器に取り外し可能に係止するように構成された一つ以上の係止部材を備えることを特徴とする請求項４または５に記載のアセンブリ。
【請求項７】
前記係止部材は、前記配電盤のハウジング内の開口部を通して受け入れ可能である回転当接面を備え、前記開口部に直接隣接するハウジングの一部に対して前記当接面が当接する位置まで前記係止部材が前記開口部に対して回転し、これによって前記ハウジングを前記容器に係止することを特徴とする請求項６に記載のアセンブリ。
【請求項８】
前記容器に取り外し可能に接続される電気発光デバイスと、電源に接続するための電気コネクタを有する長い電気ケーブルと、をさらに備えることを特徴とする請求項１ないし７のいずれかに記載のアセンブリ。
【請求項９】
前記電気発光デバイスの長い電気ケーブルに接続され電力を供給する電気コネクタをさらに備えることを特徴とする請求項８に記載のアセンブリ。
【請求項１０】
前記発光デバイスは、光源を収容するベース部材を有するハウジングと、前記ベース部材に接続され前記光源を覆い光を透過させる透明カバー部材と、を備えることを特徴とする請求項８または９に記載のアセンブリ。
【請求項１１】
前記発光デバイスハウジングは、前記ベース部材に枢動可能に取り付けられ、前記発光デバイスを表面上で直立位置に維持するためのスタンド部材を備えることを特徴とする請求項１０に記載のアセンブリ。
【請求項１２】
前記容器は、前記発光デバイスを前記容器に取り外し可能に係止するための一つ以上の係止部材を備えることを特徴とする請求項８ないし１１のいずれかに記載のアセンブリ。
【請求項１３】
前記係止部材は、前記発光デバイスのハウジング内の開口部を通して受け入れ可能である回転当接面を備え、前記開口部に直接隣接するハウジングの一部に前記当接面が当接する位置まで前記係止部材が前記開口部に対して回転し、これによって前記ハウジングを前記容器に係止することを特徴とする請求項１２に記載のアセンブリ。
【請求項１４】
前記容器は、直立面に固定された支持部に前記容器を解放可能に取り付けるための手段を備えることを特徴とする請求項１ないし１３のいずれかに記載のアセンブリ。
【請求項１５】
前記容器は、前記支持部の一組の外向き湾曲面を受け入れるための、一組の対向する内向き湾曲部材を備え、前記容器の内向き湾曲面の上側の一つと、前記支持部の外向き湾曲面の上部の一つとの係合によって、前記アセンブリの重量が実質的に支持されることを特徴とする請求項１４に記載のアセンブリ。
【請求項１６】
前記容器は、前記容器の内向き湾曲面の下側の一つが、前記支持部の外向き湾曲面の下側の一つと解放可能な係止構成で係合するまで、前記内向き湾曲面の上側の一つと外向き湾曲面の上側の一つの周りを枢動することを特徴とする請求項１５に記載のアセンブリ。
【発明の詳細な説明】
【技術分野】
【０００１】
本発明は、電気コネクタの分野に関する。より詳細には、本発明は、複数の電動機器に電力を供給する分電盤アセンブリに関する。
【背景技術】
【０００２】
既存の配電盤または分電盤は、通常、電動装置から延びる電源コードの末端に取り付けられた電気プラグにそれぞれ電気的に接続されるように構成された、複数の電気ソケットに関連する複数の電気コネクタを有するハウジングを備える。配電盤は通常、電気コンセントに接続するための電気プラグを有しハウジングに取り付けられる電気ケーブルを備えている。電気コードは、通常ハウジングに進入し、ハウジング内の複数の電気ソケットの複数の電気コネクタにそれぞれ接続される。したがって、配電盤の電気コードが主電源に接続されているとき、一つ以上の電動装置の電気プラグの電気コネクタが、それぞれ配電盤の電気ソケットの一つに差し込まれて、一つ以上の電動装置に電力を供給する。
【発明の概要】
【発明が解決しようとする課題】
【０００３】
電気コンセントから離れた位置にある一つ以上の電動装置に電源を提供する手段を設けることが望ましい場合が多い。電動装置が携帯型の動力工具であり、動力工具で実行される仕事が電源コンセントからかなり離れた位置にあるとき、しばしばこの状況になる。さらに、ユーザが電源コンセントから離れた位置で（携帯型動力工具を用いるなどして。必ずしもそうでなくてもよい）仕事を実行したい状況では、そのような仕事の実行を補助するために、自由に使える他の手段をユーザが有することが望ましい場合が多い。例えば、薄暗い環境で仕事を実行すべき場合、ユーザは、仕事を実行すべき場所に光を与える何らかの手段が必要になるかもしれない。
【課題を解決するための手段】
【０００４】
したがって、本発明は、第１態様において、電気装置に電力を提供するアセンブリを提供することによって、上述の問題の改善を目指す。このアセンブリは、電源に接続するための電気コネクタを有する容器と、容器内に収容され、電気コネクタに結合される長い電気ケーブルと、を備え、容器から長い電気ケーブルを巻き取り可能に延ばすことができる。
【０００５】
好適な実施形態では、電気ケーブルを電動装置に電気的に接続して、電源から電気装置に電力を伝達する。
【０００６】
別の実施形態では、長い電気ケーブルが、容器内に収納されたリールの周りに巻き付けられ、リールからケーブルをほどいて容器から延ばすことが可能であり、リールの周りに巻き付けて容器内にケーブルを格納可能である。
【０００７】
さらに別の実施形態では、一つ以上の電動装置と接続するための複数の電気コネクタを有するハウジングを有する配電盤と、電源に接続するための電気コネクタを有する長い電気ケーブルと、をさらに備える。
【０００８】
一実施形態では、配電盤と容器を取り外し可能に接続することができ、容器は、配電盤の長い電気ケーブルに接続して電力を供給する電気コネクタを備える。
【０００９】
別の実施形態では、容器は、配電盤のハウジングを容器に取り外し可能に係止するように構成された一つ以上の係止部材を備える。
【００１０】
さらに別の実施形態では、係止部材は、配電盤のハウジング内の開口部を通して受け入れ可能である回転当接面を備え、開口部に直接隣接するハウジングの一部に対して当接面が当接する位置まで係止部材が開口部に対して回転し、これによってハウジングを容器に係止する。
【００１１】
別の実施形態では、容器に取り外し可能に接続される電気発光デバイスと、電源に接続するための電気コネクタを有する長い電気ケーブルと、をさらに備える。
【００１２】
一実施形態では、電気発光デバイスの長い電気ケーブルに接続され電力を供給する電気コネクタをさらに備える。
【００１３】
別の実施形態では、発光デバイスは、光源を収容するベース部材を有するハウジングと、ベース部材に接続され光源を覆い光を透過させる透明カバー部材と、を備える。
【００１４】
さらに別の実施形態では、発光デバイスハウジングは、ベース部材に枢動可能に取り付けられ、発光デバイスを表面上で直立位置に維持するためのスタンド部材を備える。
【００１５】
さらに別の実施形態では、容器は、発光デバイスを容器に取り外し可能に係止するための一つ以上の係止部材を備える。
【００１６】
さらなる実施形態では、係止部材は、発光デバイスのハウジング内の開口部を通して受け入れ可能である回転当接面を備え、開口部に直接隣接するハウジングの一部に当接面が当接する位置まで係止部材が開口部に対して回転し、これによってハウジングを容器に係止する。
【００１７】
好適な実施形態では、容器は、直立面に固定された支持部に容器を解放可能に取り付けるための手段を備える。
【００１８】
好適には、容器は、支持部の一組の外向き湾曲面を受け入れるための、一組の対向する内向き湾曲部材を備え、容器の内向き湾曲面の上側の一つと、支持部の外向き湾曲面の上部の一つとの係合によって、アセンブリの重量が実質的に支持される。
【００１９】
より好適には、容器は、容器の内向き湾曲面の下側の一つが、支持部の外向き湾曲面の下側の一つと解放可能な係止構成で係合するまで、内向き湾曲面の上側の一つと外向き湾曲面の上側の一つの周りを枢動する。
【００２０】
以下の図面を参照して、本発明をより詳細に説明する。以下の図面は、一つ以上の電動装置と、電動装置に電力を供給する電源とを接続するパワーステーションアセンブリの形態の、本発明の実施形態を表している。
【図面の簡単な説明】
【００２１】
【図１】配電盤モジュールを収容する容器、発光デバイス、巻き取り式電源コードを備えるパワーステーションアセンブリの斜視図である。
【図２】容器内に位置する発光デバイスモジュールと巻き取り式電源コードとを図示するために、容器の一部を取り除いた図１のパワーステーションアセンブリの斜視図である。
【図３】容器内に位置する巻き取り式電源コードと配電盤モジュールとを図示するために、容器の一部と発光デバイスモジュールとを取り除いた図１のパワーステーションアセンブリの斜視図である。
【図４】図１のパワーステーションアセンブリの配電盤モジュールを示す図である。
【図５】図１のパワーステーションアセンブリの発光デバイスモジュールの前方斜視図である。
【図６】図１のパワーステーションアセンブリの発光デバイスモジュールの後方斜視図である。
【図７】壁などの垂直面に取り付けられるように構成され、かつ図１のパワーステーションアセンブリに取り外し可能に取り付けられるように構成された支持部の前方斜視図である。
【図８】図１のパワーステーションアセンブリが取り付けられた、図７の支持部の斜視図である。
【発明を実施するための形態】
【００２２】
図１ないし３を参照すると、本発明の一実施形態に係るパワーステーションアセンブリ１０が示されている。アセンブリ１０は、図７および８で示すように、支持部に取り外し可能に取り付けられるように構成された容器２０を備える。支持部８０は、壁面などの垂直面に取り付けられる。パワーステーションアセンブリ１０は、容器２０に取り外し可能に接続される配電盤モジュール３０と、同じく容器２０に取り外し可能に接続される発光デバイスモジュール４０とをさらに備える。パワーステーションアセンブリ１０は、アセンブリ１０の容器２０内から巻き取り可能に延びるように構成された、長い電源コード５０をさらに備える。パワーステーションアセンブリ１０は、主電源コンセントなどの電源コンセントに接続するために、容器２０から延びるプラグ型の電気コネクタ１４を有する長い導電ケーブルの形態の電源コード１２をさらに備える。電源コードは、パワーステーションアセンブリ１０の複数の部品に電気的に接続され、それらに電力を供給する。
【００２３】
使用時に、パワーステーションアセンブリ１０は、一つ以上の電動装置の電力をユーザが必要とする、主電源コンセントなどの電源コンセントから離れた位置での電力の供給を容易にする。これを実現するために、電源コード１２が容器２０内から引き出され、パワーステーションアセンブリ１０の近位にある電源に接続されてもよい。続いて、巻き取り式電源コード５０が容器２０内から引き出され、パワーステーションアセンブリ１０および電源コンセントから離れた位置に運ばれ、電動デバイスまたは配電盤モジュール３０に電気的に接続される。これにより、一つ以上の電動装置への接続と電力の供給が可能になる。さらに、容器２０から発光デバイスモジュール４０を取り外し、巻き取り式電源コード５０または配電盤モジュール３０に接続して、作業領域または作業面に投光することができる。
【００２４】
図１−３、７、８を参照すると、容器２０は、底壁２３と、底壁２３から直立する一組の対向する側壁２４、２６と、底壁２３から直立し側壁２４、２６の間で各側壁に向けて延びる一組の対向する端壁２５、２７と、を有する底部２１を備える。したがって、底部２１の底壁２３、側壁２４、２６および端壁２５、２７は、内部空洞２９を有する箱形部材を全体として形成する。底壁２３から遠位に位置する側壁２４、２６および端壁２５、２７の端は、空洞２９への開口を画成する。開口は板（fascia）によって覆われている。容器２０は、底部２１の端壁２５、２７に枢動可能に接続されるハンドル部材２８をさらに備える。ハンドル部材２８は、パワーステーションアセンブリ１０を所望の場所に運ぶためにユーザが把持するように構成されている。
【００２５】
電源コード１２は、メインオンオフスイッチ１６に電気的に接続される。メインオンオフスイッチ１６は、巻き取り式電源コード５０と、容器２０の板２２に取り付けられた少なくとも二つ以上の電気コネクタ（図示せず）と、に電気的に接続される。メインオンオフスイッチ１６は、電気コンセントから電源コード１２を経由して、巻き取り式電源コード５０と、板２２に取り付けられた少なくとも二つ以上の電気コネクタ（図示せず）とに電力を選択的に供給するために、手動で操作される。アセンブリ１０は、電流が所定のしきい値を超えた場合に、巻き取り式電源コード５０および／または板２２に取り付けられた少なくとも二つ以上の電気コネクタ（図示せず）とに電源コンセントから電源コード１２を介して供給される電力を遮断するように動作する、手動で解除可能である回路遮断機１８をさらに備える。
【００２６】
巻き取り式電源コード５０は、ケーブル５２の一端に電気的に接続されたプラグ型の電気コネクタ５４を有する長い導電ケーブル５２を備える。ケーブル５２は、ブラケット５６に取り付けられたリール５５の周りに巻き付けられる。リール５５は、容器２０の底部２１に固定されているブラケット５６を用いて、容器２０の空洞２９内に固定されている。リール５５はブラケット５６に対して回転可能であり、任意の所望長のケーブル５２を容器２０から引き出すことができるように、ケーブル５２をほどいて引き出せるようになっている。そのため、パワーステーションアセンブリ１０から離れた位置で、電動装置および／または分電盤３０にコネクタ５４を接続することができる。リール５５は、ユーザがケーブルの格納を必要とするときに、ブラケット５６に対する回転によってケーブル５２を選択的に格納するように構成されている。ケーブル５２の他端は、電源ケーブル１２に電気的に接続される。したがって、電源ケーブル１２を電源コンセントに接続すると、パワーステーションアセンブリ１０から離れた位置で、巻き取り式電源コード５０を介して電動装置および／または配電盤３０に電力を供給することができる。
【００２７】
図１、３、４を参照すると、配電盤モジュール３０は、第１端部３３と、第２端部３５と、第１および第２端部３３、３５の間に延びる正面パネル３４とを有する細長いハウジング３２を備える。正面パネル３４は、その中に取り付けられた複数の電気コネクタ部３６を備える。容器２０の板２２内に取り付けられる電気コネクタ（図示せず）または巻き取り式電源コード５０のコネクタ５４に電気的に接続可能である導電ケーブル（図示せず）がハウジング３２から延びる。配電盤モジュール３０のハウジング３２から延びるケーブルは、電気コネクタ部３６のそれぞれに電気的に接続される。このため、電源ケーブル１２のコネクタ１４が電源に接続されると、配電盤モジュール３０のコネクタ部３６がそれぞれ、電動装置の電気コネクタと接続して装置に電力を供給するように機能する。
【００２８】
配電盤モジュール３０は、容器２０の板２２内の、配電盤モジュール受け入れ開口部３０Ａ内に受け入れられるように構成される。配電盤モジュール３０は、ハウジング３２の第１端部３３および第２端部３５にそれぞれ位置する第１開口部３７および第２開口部３９を備える。板２２の配電盤受け入れ開口部３０Ａ内にハウジング３２が固定されると、一組の係止部材３７Ａ、３９Ａがそれぞれ、開口部３７、３９のうちの一方に受け入れられる。係止部材３７Ａ、３９Ａは、開口部３７、３９のそれぞれに直接隣接して位置する一組の当接面３１、３８の一方に対して当接するように構成された当接面をそれぞれ備える、回転可能な係止ノブの形態をしている。係止ノブが適切な位置まで回転すると、容器２０のモジュール開口部３０Ａ内に配電盤モジュール３０が係止される。係止部材３７Ａ、３９Ａを回転させると、開口部３７、３９に隣接する当接面３１、３８からその当接面が開放され、モジュール開口部３０Ａから配電盤モジュール３０を取り外すことができる。
【００２９】
図２、５、６を参照すると、発光デバイスモジュール４０は、底面パネル４３と、底面パネル４３から直立する四枚の側面パネル４４、４５、４６、１７とを有し、その中に空洞を画成するベースハウジング４１からなるハウジング４２を備える。ベースハウジング４１内の空洞の中に、小型（compact）蛍光ランプなどの、放電ランプとしても知られる蛍光ランプの形態の発光デバイス４９が取り付けられる。発光デバイス４９は、ガス入り管６２と、発光デバイスモジュール４０のハウジング４２から延びるケーブル（図示せず）に電気的に接続される電子安定器６４とを備える。巻き取り式電源コード５０のコネクタ５４、または容器２０の板２２内に取り付けられた電気コネクタ（図示せず）に、導電ケーブルを電気的に接続することができる。こうして、電源ケーブル１２のコネクタ１４が電源に接続されると、発光デバイスモジュール４０の発光デバイス４９に電力が供給される。発光デバイスモジュール４０は、発光デバイス４９をオンオフするスイッチを備えてもよい。発光デバイスモジュール４０のハウジング４２は、側面パネル４４、４５、４６、４７の自由端に取り付けられる透明カバー４８をさらに備える。透明カバー４８は発光デバイス４９を覆い、光を透過させる。
【００３０】
図６を参照すると、発光デバイスモジュール４０のハウジング４２は、スタンド部材６５とベースパネル６７とをさらに備える。ベースパネル６７は、ベースハウジング４１の側面パネル４４、４５、４６、４７の一つに取り付けられ、スタンド部材６５は、ベースハウジング４１の底面パネル４３に枢動可能に接続される。使用時に、発光デバイスモジュール４０は垂直位置で表面に取り付けられ、ベースパネル６７にもたれかかる。スタンド部材６５は、格納位置と展開位置との間でベースハウジング４１に対して枢動可能である。展開位置では、スタンド部材６５は、ベースパネル６７で支持される表面上で直立位置の発光デバイスモジュール４０を支持するように機能する。発光デバイスモジュールが垂直位置にあるとき、透明カバー４８は、ベースパネル６７がもたれかかる表面を実質的に横切る方向になり、発光デバイス４９により発せられた光が透明カバー４８を透過し、作業領域または作業面を照射する。
【００３１】
発光デバイスモジュール４０のベースパネル６７は、第１端部６８、第２端部６９、第１および第２端部６８、６９のそれぞれにある開口部７１、７３を備える。開口部７１、７３はそれぞれ、開口部７１、７３の一つに直接隣接して位置する当接面７２、７４を備える。容器２０の板２２は、発光デバイスモジュール４０のハウジング４２を受け入れるように構成された、発光デバイスモジュール受け入れ開口部４０Ａを備える。発光デバイスモジュール４０のハウジング４２が開口部４０Ａを通して受け入れられると、一組の係止部材７１Ａ、７３Ａが開口部７１、７３を通して受け入れられ、上述の係止部材３７Ａ、３９Ａと同様に、配電盤モジュール３０を容器２０に係止するように機能する。したがって、これらの係止部材７１Ａ、７３Ａはそれぞれ、係止部材７１Ａ、７３Ａが当接面７２、７４に当接して容器２０の開口部４０Ａ内に発光デバイスモジュール４０を係止する位置と、容器２０の開口部４０Ａから発光デバイスモジュール４０を取り外し可能であるもう一つの位置と、に回転するように構成された回転ノブである。
【００３２】
図１、７、８を参照すると、パワーステーションアセンブリ１０は、壁などの直立面に固定される支持部８０に取り付けられるように構成される。支持部８０は、任意の適切な手段によって壁面に固定されるように構成された細長いベース８１を備える。ベース８１は、ベース８１を壁面に固定するファスナーを受け入れるように構成された複数の開口８２を備える。支持部８０は、ベース８１から延びる結合部８３をさらに備える。結合部８３は、ベース８１から直立する、間隔を空けて配置された複数の直立部材８４を備える。結合部８３は、上部クロス部材８５と下部クロス部材８６とをさらに備える。上部および下部クロス部材８５、８６は、直立部材８４の隣接する組の間に延び、これらに固定される。上部および下部クロス部材８５、８６はベース８１から離して配置される。さらに、上部および下部クロス部材８５、８６はそれぞれ、上部外向き湾曲凸面８７と下部外向き湾曲凸面８８とを備える。パワーステーションアセンブリ１０の容器２０は、底部２１の底壁２３内に、一組の対向する内向き湾曲凹形フック状部材９２、９４を備える。内向き湾曲凹形フック状部材９２、９４は、間隔を離して配置され、互いに対向し、その間に凹部９６を画成する。パワーステーションアセンブリ１０の容器２０は、支持部８０の結合部８３に取り外し可能に取り付けることができ、これによって、支持部８０が固定される壁に対してパワーステーションアセンブリ１０を取り外し可能に取り付けることができる。これは、上下クロス部材８５、８６の上下外向き湾曲凸面８７、８８の一方に対して、内向き湾曲部材９２の最初の一つを配置し、続いて、上下クロス部材８５、８６の上下外向き湾曲凸面８７、８８の他方に対して、内向き湾曲部材９２、９４の他方を配置することによって、達成される。こうして、上下クロス部材８５、８６の上下外向き湾曲凸面８７、８８のそれぞれに対して、内向き湾曲凹形フック状部材９２、９４が当接し、これにより、内向き湾曲凹形フック状部材９２、９４の間の凹部９６内に上下クロス部材８５、８６を保持する。アセンブリ１０の重量は、容器２０の内向き湾曲面９２の上側の一つと、支持部８０の外側湾曲凸面８７の上側の一つとの間の係合によって実質的に支持される。容器２０は、容器２０の内向き湾曲面９４の下側が、スナップ式などの解放可能な係止形態で支持部８０の外向き湾曲凸面８８の下側と係合するまでの間、内向き湾曲面９２の上側の一つと外側湾曲凸面８７の上側の一つの周りを枢動することができる。
【００３３】
ユーザが支持部８０からパワーステーションアセンブリ１０を取り外したい場合、ユーザは、容器２０またはハンドル部材２８を把持し、上下クロス部材８５、８６からフック状部材９２、９４を外すことができる。続いて、ユーザは、電源コンセントに近い場所までパワーステーションアセンブリ１０を運搬し、そこで、電源コード１２のコネクタ１４を電源コンセントに接続することができる。続いて、ユーザは、パワーステーションアセンブリ１０から巻き取り式電源コード５０を延ばし、一つ以上の電動装置（例えば携帯型動力工具）を使用したい場所、または作業領域や作業面を照らしたいと望む場所へと、巻き取り式電源コード５０のコネクタ５４を運ぶことができる。続いて、ユーザは、巻き取り式ケーブル５０のコネクタ５４を、パワーステーションアセンブリ１０から離れた場所で電動装置に接続する。ユーザは、必要に応じて、パワーステーションアセンブリ１０から配電盤モジュール３０を取り外し、配電盤モジュール３０の電気ケーブルを巻き取り式電源コード５０のコネクタ５４に接続し、また一つ以上の電送装置を配電盤モジュール３０のコネクタ部３６に接続することができる。また、ユーザは、パワーステーションアセンブリ１０から発光デバイスモジュール４０を取り外し、発光デバイスモジュール４０の電源コードを巻き取り式コード５０のコネクタ５４または配電盤モジュール３０のコネクタ部３６に接続して、作業領域または作業面を照らすことができる。
【００３４】
使用後に、ユーザは、容器２０の配電盤モジュール受け入れ開口部３０Ａに配電盤モジュール３０を戻すか、および／または容器２０の発光デバイスモジュール受け入れ開口部４０Ａに発光デバイスモジュール４０を戻すことができる。続いて、ユーザは、配電盤モジュール３０および発光デバイスモジュール４０を解放可能に係止することができる。ユーザは、パワーステーションアセンブリ１０を支持部８０に戻し、パワーステーションアセンブリ１０を支持部８０の結合部８３に取り付けることができる。
【００３５】
最後に、本発明の精神および範囲から逸脱することなく、上述した部品の構造および配置に対して、種々の変形、修正および／または追加を導入可能であることを理解し認めるべきである。
【図１】
2013520772.tif 000003
【図２】
2013520772.tif 000004
【図３】
2013520772.tif 000005
【図４】
2013520772.tif 000006
【図５】
2013520772.tif 000007
【図６】
2013520772.tif 000008
【図７】
2013520772.tif 000009
【図８】
2013520772.tif 000010
【国際調査報告】
2013520772.tif 000011
2013520772.tif 000012
2013520772.tif 000013